(57)【要約】【課題】ボスなどの回転部材の材質を合成樹脂等で形成することができ、そのコストを削減することができる回転部材の取り付け構造を提供する。【解決手段】ボス２０の内側にある内側突部３０と回り止め部材１６のＯリング１８の収納溝２８にある内側突部３０とが異なる位置にある時には回り止め部材１６が空転し、同じ位置にある時にはＯリング１８を挟むことによって回り止め部材１６とボス２０とが同期して回転する。【選択図】      図３
2005127393.tif 000002
【特許請求の範囲】
【請求項１】
モータの回転軸に羽根車、プロペラ、ファンなどの回転部材を取り付ける構造において、
前記回転部材の中心にある円筒状のボスと、前記ボスの内周側に配される円筒状の回り止め部材と、Ｏリングとから構成され、
前記回り止め部材の中心に前記回転軸が固定され、
前記回り止め部材の外周部に周方向に沿って前記Ｏリングが配される収納溝が設けられ、
前記収納溝に内側突部が突出し、かつ、前記ボスの内周側に外側突部が突出し、
前記内側突部と前記外側突部とが同じ位置にあるときに、前記内側突部と前記外側突部とによって前記Ｏリングを挟むことによって前記回り止め部材と前記ボスとが同期して回転し、
前記内側突部と前記外側突部とが異なる位置にあるときに、前記回り止め部材が前記ボスに対し空転する
ことを特徴とする回転部材の取り付け構造。
【請求項２】
前記内側突部と前記外側突部とが、前記回転軸を中心にして１８０°間隔で２箇所それぞれ設けられている
ことを特徴とする請求項１記載の回転部材の取り付け構造。
【請求項３】
前記モータが、同期モータである
ことを特徴とする請求項１記載の回転部材の取り付け構造。
【請求項４】
前記回り止め部材は、合成樹脂製である
ことを特徴とする請求項１記載の回転部材の取り付け構造。
【請求項５】
前記内側突部と前記外側突部とが、滑らかな形状で突出している
ことを特徴とする請求項１記載の回転部材の取り付け構造。
【請求項６】
前記モータが、洗濯機、食器洗い器用のポンプ、または、ブロワの駆動源である
ことを特徴とする請求項１記載の回転部材の取り付け構造。
【発明の詳細な説明】
【技術分野】
【０００１】
本発明は、同期モータなどのモータの回転軸に羽根車、プロペラ、ファンなどの回転部材を取り付ける構造に関するものである。
【背景技術】
【０００２】
洗濯機などのポンプにおいては、構造が簡単でそのコストが安い同期モータがよく使用されている。
【０００３】
ところが、この同期モータは、始動トルクが小さいため、その始動時に回転軸における回転角の遊びを設ける必要がある。
【０００４】
そのために、回転方向に遊びを有するカップリング部材がポンプの羽根車に用いられている発明が提案されている（特許文献１）。
【特許文献１】ＥＰ０４８１４１０公報
【発明の開示】
【発明が解決しようとする課題】
【０００５】
上記構成の回転部材の取り付け構造においては、同期モータの回転によって最初の部分だけ空転して加速された回り止め部材がボスに衝突して同期回転を行う構造となっている。しかし、回り止め部材の破損を防ぐために、この回り止め部材の材質は金属で構成する必要がある。そのため、回り止め部材のコストが上昇するという問題点がある。
【０００６】
そこで、本発明は上記問題点に鑑み、ボスなどの回転部材の材質を合成樹脂等で形成することができ、そのコストを削減することができる回転部材の取り付け構造を提供するものである。
【課題を解決するための手段】
【０００７】
請求項１に係る発明は、モータの回転軸に羽根車、プロペラ、ファンなどの回転部材を取り付ける構造において、前記回転部材の中心にある円筒状のボスと、前記ボスの内周側に配される円筒状の回り止め部材と、Ｏリングとから構成され、前記回り止め部材の中心に前記回転軸が固定され、前記回り止め部材の外周部に周方向に沿って前記Ｏリングが配される収納溝が設けられ、前記収納溝に内側突部が突出し、かつ、前記ボスの内周側に外側突部が突出し、前記内側突部と前記外側突部とが同じ位置にあるときに、前記内側突部と前記外側突部とによって前記Ｏリングを挟むことによって前記回り止め部材と前記ボスとが同期して回転し、前記内側突部と前記外側突部とが異なる位置にあるときに、前記回り止め部材が前記ボスに対し空転することを特徴とする回転部材の取り付け構造である。
【０００８】
請求項２に係る発明は、前記内側突部と前記外側突部とが、前記回転軸を中心にして１８０°間隔で２箇所それぞれ設けられていることを特徴とする請求項１記載の回転部材の取り付け構造である。
【０００９】
請求項３に係る発明は、前記モータが、同期モータであることを特徴とする請求項１記載の回転部材の取り付け構造である。
【００１０】
請求項４に係る発明は、前記回り止め部材が合成樹脂製であることを特徴とする請求項１記載の回転部材の取り付け構造である。
【００１１】
請求項５に係る発明は、前記内側突部と前記外側突部とが、滑らかな形状で突出していることを特徴とする請求項１記載の回転部材の取り付け構造である。
【００１２】
請求項６に係る発明は、前記モータが、洗濯機、食器洗い器用のポンプ、または、ブロワの駆動源であることを特徴とする請求項１記載の回転部材の取り付け構造である。
【発明の効果】
【００１３】
請求項１に係る発明の回転部材の取り付け構造においては、モータが回転し始める始動時においては、内側突部と外側突部とが異なる位置にあるため、回り止め部材がボスに対して空転して、その始動トルクを小さくすることができる。そして、回り止め部材がある程度空転し、内側突部と外側突部とが同じ位置にきた場合には、内側突部と外側突部によってＯリングを挟むことによって回り止め部材とボスとが同期回転して、回転部材全体が回転する。
【００１４】
この回転部材の取り付け構造であると、ボスと回り止め部材を合成樹脂で形成しても、内側突部と外側突部とによってＯリングを挟む構造であるためボスや回り止め部材が破損することがない。また、Ｏリングを挟むことによって回転部材が回転するため、振動も防止することができる。
【００１５】
請求項２に係る発明の回転部材の取り付け構造であると、内側突部と外側突部とが、回転軸を中心にして１８０°間隔で２個所それぞれ設けられているため、Ｏリングを確実に挟むことができる。
【００１６】
請求項３に係る発明の回転部材の取り付け構造であると、始動トルクの弱い同期モータであってもその始動を容易に行うことができる。
【００１７】
請求項４に係る発明は、前記回り止め部材が合成樹脂製であるので、コストを安くすることができる。
【００１８】
請求項５に係る発明は、前記内側突部と前記外側突部とが、滑らかな形状で突出しているため、Ｏリングを挟むときにスムーズに挟むことができ、かつ、逆に回すと２つの突部は容易に離れることができる。
【００１９】
請求項６に係る発明の回転部材の取り付け構造であると、モータが洗濯機、食器洗い器用のポンプ、または、ブロワの駆動源として用いても、コストを低く抑えることができる。
【発明を実施するための最良の形態】
【００２０】
以下、本発明の一実施形態の回転部材１０の取り付け構造について説明する。なお、本実施形態は、同期モータの回転軸１４にポンプの羽根車１２を取り付ける構造である。
【００２１】
（１）回転部材１０の構成
図１に示すように、回転部材１０の部品としては、回転軸１４、羽根車１２以外に、回り止め部材１６、Ｏリング１８、蓋板３２がある。
【００２２】
羽根車１２は、その中心にある円筒状のボス２０から４枚の羽根２２が突出している。また、ボス２０の内部には、回り止め部材１６を収納するための収納空間２４が設けられている。この収納空間２４の内周面には後から説明する円弧状の外側突部２６が内方に向かって１８０°間隔で２個所突出している。
【００２３】
回り止め部材１６は、円筒状であってその中心に回転軸１４が固定されている。また、回り止め部材１６の外周面には、周方向に沿ってＯリング１８が収納される収納溝２８が設けられている。この収納溝２８には、回転軸１４を中心にして１８０°間隔に円弧状の内側突部３０が２箇所突出している。
【００２４】
この回転部材１０を組み立てる場合には、回り止め部材１６の中心に回転軸１４を固定し、回り止め部材１６の収納溝２８にＯリング１８を取り付ける。このように部品を取り付けた回り止め部材１６を収納空間２４に収納し、円板状の蓋体３２で回り止め部材１６を軸方向に対して固定する。
【００２５】
（２）回転部材１０の動作状態
上記構成の回転部材１０の動作状態について図２及び図３に基づいて説明する。
【００２６】
図２及び図３は、図１におけるＡ−Ａ線断面図であり、図２は回り止め部材１６がボス２０に対し空転している状態であり、図３は同期して回転している状態である。
【００２７】
まず、同期モータの始動時には始動トルクを低く抑えるために、回り止め部材１６をボス２０に対し空転させる必要がある。そのため、図２に示すように、内側突部３０と外側突部２６とが異なる位置で配するようにしておく。このようにすることで、内側突部３０が外側突部２６の位置まで回転するまで、Ｏリング１８の外周部が外側突部２６に接触することなく、回り止め部材１６がボス２０に対し空転する。
【００２８】
そして、ある程度回転して（図３においては９０°）、回り止め部材１６が空転すると、内側突部３０によって膨れているＯリング１８の部分が外側突部２６の位置にくる。すると、Ｏリング１８が外側突部２６と内側突部３０とによって挟まれ、回り止め部材１６とボス２０とがＯリング１８を介して固定されることにより、同期して回転する。
【００２９】
以上のように、同期モータの始動時においては、内側突部３０が外側突部２６の位置まで空転することにより始動トルクを低く抑えることができ、その後はボス２０と回り止め部材１６とが同期して回転するため、通常の回転状態を維持することができる。
【００３０】
Ｏリング１８を外側突部２６と内側突部３０とによって挟む構造だけであるため、ボス２０及び回り止め部材１６を合成樹脂によって形成しても破損することがない。
【００３１】
外側突部２６と内側突部３０とがそれぞれ滑らかな形状である円弧状で突出しているために、Ｏリング１８を挟むときにスムーズに挟むことができる。
【００３２】
Ｏリング１８が回り止め部材１６とボス２０との振動を防止する緩衝材となり、起動時及び通常の回転において振動を防止することができる。
【産業上の利用可能性】
【００３３】
本発明の回転部材の取り付け構造は、洗濯機、食器洗い器用のポンプ、またはブロワの駆動源としてモータに取り付けることができる。
【図面の簡単な説明】
【００３４】
【図１】本発明の一実施形態を示す回転部材の縦断面図である。
【図２】図１におけるＡ−Ａ線断面図であって、回り止め部材がボスに対し空転している状態の断面図である。
【図３】図１におけるＡ−Ａ線断面図であって、回り止め部材とボスとが同期して回転している状態の断面図である。
【符号の説明】
【００３５】
１０  回転部材
１２  羽根車
１４  回転軸
１６  回り止め部材
１８  Ｏリング
２０  ボス
２２  羽根
２４  収納空間
２６  外側突部
２８  収納溝
３０  内側突部
３２  蓋体
【図１】
2005127393.tif 000003
【図２】
2005127393.tif 000004
【図３】
2005127393.tif 000005